【手続補正書】
【提出日】平成25年2月25日(2013.2.25)
【手続補正１】
【補正対象書類名】明細書
【補正対象項目名】発明の名称
【補正方法】変更
【補正の内容】
【発明の名称】樹脂組成物、光学フィルム、及び液晶表示装置
【手続補正２】
【補正対象書類名】明細書
【補正対象項目名】０１０４
【補正方法】変更
【補正の内容】
【０１０４】
【表５】
2012518052.tif 000001
［項目３］
前記アルキル（メタ）アクリレート系単量体は３０重量％以上９０重量％以下であり、前記脂肪族環及び芳香族環の少なくとも一方を含む（メタ）アクリレート系単量体は０重量％超過５０重量％以下であり、前記スチレン系単量体は０．１重量％以上５０重量％以下であることを特徴とする項目２に記載のアクリル系共重合体樹脂。
［項目５］
前記アルキル（メタ）アクリレート系単量体は３０重量％以上９０重量％以下であり、前記脂肪族環及び芳香族環の少なくとも一方を含む（メタ）アクリレート系単量体は０重量％超過５０重量％以下であり、前記イミド系単量体は０．１重量％以上５０重量％以下であることを特徴とする項目４に記載のアクリル系共重合体樹脂。
［項目７］
前記アルキル（メタ）アクリレート系単量体は３０重量％以上９０重量％以下であり、脂肪族環及び芳香族環の少なくとも一方を含む（メタ）アクリレート系単量体は０重量％超過５０重量％以下であり、イミド系単量体は０．１重量％以上５０重量％以下であり、スチレン系単量体は０．１重量％以上５０重量％以下であることを特徴とする項目６に記載のアクリル系共重合体樹脂。
［項目８］
前記脂肪族環及び芳香族環の少なくとも一方を含む（メタ）アクリレート系単量体は、シクロアルキル（メタ）アクリレート系単量体またはアリール（メタ）アクリレート系単量体であることを特徴とする項目１から７の何れか１項に記載のアクリル系共重合体樹脂。
［項目９］
前記シクロアルキル（メタ）アクリレート系単量体のシクロアルキル基は、炭素数が４〜１２であり、前記アリール（メタ）アクリレート系単量体のアリール基は、炭素数が６〜１２であることを特徴とする項目８に記載のアクリル系共重合体樹脂。
［項目１０］
前記脂肪族環及び芳香族環の少なくとも一方を含む（メタ）アクリレート系単量体は、シクロペンチルメタクリレート、シクロヘキシルメタクリレート、ベンジルメタクリレート、シクロヘキシルアクリレート、２−フェノキシエチルアクリレート、３，３，５−トリメチルシクロヘキシルメタクリレート、４−ｔ−ブチルシクロヘキシルメタクリレート、３−シクロヘキシルプロピルメタクリレート、フェニルメタクリレート、４−ｔ−ブチルフェニルメタクリレート、４−メトキシフェニルメタクリレート、１−フェニルエチルメタクリレート、２−フェニルエチルアクリレート、２−フェニルエチルメタクリレート、２−フェノキシエチルメタクリレート、及び２−ナフチルメタクリレートからなる群から選択されることを特徴とする項目１に記載のアクリル系共重合体樹脂。
［項目１１］
前記イミド系単量体は、シクロアルキル基またはアリール基で置換または非置換されたマレイミドであることを特徴とする項目１から１０の何れか１項に記載のアクリル系共重合体樹脂。
［項目１２］
前記イミド系単量体は、Ｎ−シクロヘキシルマレイミド、Ｎ−フェニルマレイミド、Ｎ−クロロフェニルマレイミド、Ｎ−メチルフェニルマレイミド、Ｎ−ナフチルマレイミド、Ｎ−ヒドロキシフェニルマレイミド、Ｎ−メトキシフェニルマレイミド、Ｎ−カルボキシフェニルマレイミド、Ｎ−ニトロフェニルマレイミド、及びＮ−トリブロモフェニルマレイミドからなる群から選択されることを特徴とする項目１から１１の何れか１項に記載のアクリル系共重合体樹脂。
［項目１３］
前記スチレン系単量体は、スチレン、α−メチルスチレン、３−メチルスチレン、４−メチルスチレン、２，４−ジメチルスチレン、２，５−ジメチルスチレン、２−メチル−４−クロロスチレン、２，４，６−トリメチルスチレン、ｃｉｓ−β−メチルスチレン、ｔｒａｎｓ−β−メチルスチレン、４−メチル−α−メチルスチレン、４−フルオロ−α−メチルスチレン、４−クロロ−α−メチルスチレン、４−ブロモ−α−メチルスチレン、４−ｔ−ブチルスチレン、２−フルオロスチレン、３−フルオロスチレン、４−フルオロスチレン、２，４−ジフルオロスチレン、２，３，４，５，６−ペンタフルオロスチレン、２−クロロスチレン、３−クロロスチレン、４−クロロスチレン、２，４−ジクロロスチレン、２，６−ジクロロスチレン、オクタクロロスチレン、２−ブロモスチレン、３−ブロモスチレン、４−ブロモスチレン、２，４−ジブロモスチレン、α−ブロモスチレン、β−ブロモスチレン、２−ヒドロキシスチレン、及び４−ヒドロキシスチレンからなる群から選択されることを特徴とする項目１から１２の何れか１項に記載のアクリル系共重合体樹脂。
［項目１５］
項目１〜項目１４のいずれか一項に記載のアクリル系共重合体樹脂及び主鎖に芳香族環及び脂肪族環の少なくとも一方を含有する樹脂を含む樹脂組成物。
［項目１６］
前記主鎖に芳香族環及び脂肪族環の少なくとも一方を含む樹脂は、ポリカーボネート系樹脂、ポリアリレート系樹脂、ポリナフタレン系樹脂及びポリノルボルネン系樹脂からなる群から選択されることを特徴とする項目１５に記載の樹脂組成物。
［項目１７］
前記樹脂組成物は、前記アクリル系共重合体樹脂と前記主鎖に芳香族環及び脂肪族環の少なくとも一方を含む樹脂の重量比が６０〜９９．９：０．１〜４０であることを特徴とする項目１５または１６に記載の樹脂組成物。
［項目２２］
前記光学フィルムは、下記数式１で表される面内位相差値が−５ｎｍ〜２００ｎｍであることを特徴とする項目１９から２１の何れか１項に記載の光学フィルム：
［数１］
Ｒｉｎ＝（ｎｘ−ｎｙ）×ｄ
前記数式１において、ｎｘは、フィルム面内において屈折率が最大となる方向の屈折率であり、ｎｙは、フィルム面内においてｎｘ方向に垂直な方向の屈折率であり、ｄは、フィルムの厚さである。
［項目２３］
前記光学フィルムは、下記数式２で表される厚さ方向位相差値が５ｎｍ〜−３００ｎｍであることを特徴とする項目１９から２２の何れか１項に記載の光学フィルム：
［数２］
Ｒｔｈ＝（ｎｚ−ｎｙ）×ｄ
前記数式２において、ｎｘは、フィルム面内において屈折率が最大となる方向の屈折率であり、ｎｙは、フィルム面内においてｎｘ方向に垂直な方向の屈折率であり、ｎｚは、厚さ方向の屈折率であり、ｄは、フィルムの厚さである。
【手続補正３】
【補正対象書類名】特許請求の範囲
【補正対象項目名】全文
【補正方法】変更
【補正の内容】
【特許請求の範囲】
【請求項１】
１）炭素数１〜１０のアルキル（メタ）アクリレート系単量体３０重量％以上９０重量％以下；
２）シクロヘキシルメタクリレート単量体、ベンジルメタクリレート単量体またはフェニルメタクリレート単量体０重量％超過５０重量％以下；
３）Ｎ−シクロヘキシルマレイミド単量体、Ｎ−フェニルマレイミド単量体、スチレン単量体及びα−メチルスチレン単量体からなる群より選択された１種以上の単量体０．１重量％以上５０重量％以下を含むアクリル系共重合体と、
ポリカーボネート系樹脂を含み、
前記アクリル系共重合体と前記ポリカーボネート系樹脂の重量比が６０〜９９．９：０．１〜４０であることを特徴とする樹脂組成物。
【請求項２】
前記アクリル系共重合体は、炭素数１〜１０のアルキル（メタ）アクリレート系単量体；シクロヘキシルメタクリレート単量体、ベンジルメタクリレート単量体またはフェニルメタクリレート単量体；及びスチレン単量体またはα−メチルスチレン単量体を含む３元共重合体の形態であることを特徴とする請求項１に記載の樹脂組成物。
【請求項３】
前記アクリル系共重合体は、炭素数１〜１０のアルキル（メタ）アクリレート系単量体；シクロヘキシルメタクリレート単量体、ベンジルメタクリレート単量体またはフェニルメタクリレート単量体；及びＮ−シクロヘキシルマレイミド単量体またはＮ−フェニルマレイミド単量体を含む３元共重合体の形態であることを特徴とする請求項１に記載の樹脂組成物。
【請求項４】
前記アクリル系共重合体は、炭素数１〜１０のアルキル（メタ）アクリレート系単量体；シクロヘキシルメタクリレート単量体、ベンジルメタクリレート単量体またはフェニルメタクリレート単量体；Ｎ−シクロヘキシルマレイミド単量体またはＮ−フェニルマレイミド単量体；及びスチレン単量体またはα−メチルスチレン単量体を含む４元共重合体の形態であることを特徴とする請求項１に記載の樹脂組成物。
【請求項５】
前記アクリル系共重合体のガラス転移温度（Ｔｇ）は１２０℃以上であることを特徴とする請求項１から４の何れか１項に記載の樹脂組成物。
【請求項６】
前記樹脂組成物のガラス転移温度は１１０℃以上であることを特徴とする請求項１から５の何れか１項に記載の樹脂組成物。
【請求項７】
請求項１から６の何れか１項に記載の樹脂組成物を含む光学フィルム。
【請求項８】
前記光学フィルムは、位相差補償フィルムまたは保護フィルムであることを特徴とする請求項７に記載の光学フィルム。
【請求項９】
前記位相差補償フィルムは、ＶＡモード液晶表示装置用またはＴＮモード液晶表示装置用であることを特徴とする請求項８に記載の光学フィルム。
【請求項１０】
前記光学フィルムは、下記数式１で表される面内位相差値が２０ｎｍ〜８０ｎｍであり、下記数式２で表される厚さ方向位相差値が−５０ｎｍ〜−３００ｎｍであることを特徴とする請求項７から９の何れか１項に記載の光学フィルム：
［数１］
Ｒｉｎ＝（ｎｘ−ｎｙ）×ｄ
［数２］
Ｒｔｈ＝（ｎｚ−ｎｙ）×ｄ
前記数式１及び２において、ｎｘは、フィルム面内において屈折率が最大となる方向の屈折率であり、ｎｙは、フィルム面内においてｎｘ方向に垂直な方向の屈折率であり、ｎｚは、厚さ方向の屈折率であり、ｄは、フィルムの厚さである。
【請求項１１】
前記光学フィルムは、下記数式１で表される面内位相差値が０ｎｍ〜１０ｎｍであり、下記数式２で表される厚さ方向位相差値が−１０ｎｍ〜１０ｎｍであることを特徴とする請求項７から１０の何れか１項に記載の光学フィルム： 
［数１］
Ｒｉｎ＝（ｎｘ−ｎｙ）×ｄ
［数２］
Ｒｔｈ＝（ｎｚ−ｎｙ）×ｄ
前記数式１及び２において、ｎｘは、フィルム面内において屈折率が最大となる方向の屈折率であり、ｎｙは、フィルム面内においてｎｘ方向に垂直な方向の屈折率であり、ｎｚは、厚さ方向の屈折率であり、ｄは、フィルムの厚さである。
【請求項１２】
前記光学フィルムは、１％以下のヘイズ値を有することを特徴とする請求項７から１１の何れか１項に記載の光学フィルム。
【請求項１３】
前記光学フィルムは、光弾性係数が１０以下であることを特徴とする請求項７から１２の何れか１項に記載の光学フィルム。
【請求項１４】
前記光学フィルム上に粒径１５．９ｍｍ、重量１６．３ｇの鋼鉄球をテストフィルム上に落下させたとき、穴が生じる高さが６００ｍｍ以上であることを特徴とする請求項７から１３の何れか１項に記載の光学フィルム。
【請求項１５】
請求項７から１４の何れか１項に記載の光学フィルムを含む液晶表示装置。
【請求項１６】
前記液晶表示装置は、ＶＡモードであることを特徴とする請求項１５に記載の液晶表示装置。